(57)【要約】【課題】配線板状部材が差し込まれるハウジングを有したコネクタ装置であって、全体の低背化及び小型化が図られたもとにあっても、ハウジングに差し込まれた配線板状部材に対する係止を確実かつ堅固に行うことができるものを提供する。【解決手段】ハウジング（１１）と、複数のコンタクトと、コンタクトにハウジングに差し込まれたフレキシブル印刷配線基板（１５）における接続端子部との押圧接触状態をとらせる押圧位置をとるアクチュエータ（２０）と、アクチュエータが押圧位置をとるときフレキシブル印刷配線基板を係止する係止部材（２１）とを備え、係止部材が、フレキシブル印刷配線基板における切欠き係合受部（１９）に係合する係合突起部（３０ｂ）と、係合突起部に対向する位置に設けられてフレキシブル印刷配線基板における切欠き係合受部が形成された部分が乗り上げる凸部（２９ｂ）とを有する。【選択図】  図１６
2014011099.tif 000002
【特許請求の範囲】
【請求項１】
板状部材差込み部が設けられたハウジングと、
該ハウジングに配列配置され、上記板状部材差込み部を通じて上記ハウジングに差し込まれた配線板状部材における複数の接触端子部に夫々対応する位置をとるものとされる複数のコンタクトと、
上記ハウジングに対して回動可能に設けられて上記複数のコンタクトに係合し、上記複数のコンタクトの夫々に上記ハウジングに差し込まれた配線板状部材における複数の接触端子部のうちの対応するものに対する押圧接触状態をとらせる押圧位置をとるアクチュエータと、
上記ハウジングに配されて上記アクチュエータに係合し、上記アクチュエータが上記押圧位置をとるとき、上記ハウジングに差し込まれた配線板状部材を係止して、該配線板状部材の上記ハウジングからの抜脱を阻止する係止部材と、
を備え、
上記係止部材が、上記ハウジングに差し込まれた配線板状部材における係合受部に係合する係合突起部と、該係合突起部に対向する位置に設けられて、上記ハウジングに差し込まれた配線板状部材における上記係合受部が形成された部分が乗り上げる凸部と、を有することを特徴とするコネクタ装置。
【請求項２】
上記係止部材が、上記係合突起部を上記ハウジング内において変位可能な可動部として有し、上記凸部を上記ハウジングに固定された固定部として有することを特徴とする請求項１記載のコネクタ装置。
【請求項３】
上記係止部材が、上記ハウジングに固定される第１のビーム部と、上記ハウジングに対して移動可能とされた第２のビーム部と、上記第１のビーム部と上記第２のビーム部とを相互連結する連結部とを有し、上記第１のビーム部に上記凸部が形成されているとともに、上記第２のビーム部に上記係合突起部と上記アクチュエータとの係合部とが形成されていることを特徴とする請求項１記載のコネクタ装置。
【請求項４】
上記係止部材の第２のビーム部が、上記アクチュエータの回動に応じて変位し、上記アクチュエータが上記押圧位置をとるとき、上記係合突起部を上記配線板状部材における係合受部を通じて上記凸部に近接もしくは当接させる位置をとることを特徴とする請求項３記載のコネクタ装置。
【請求項５】
上記アクチュエータがカム部を有しており、上記アクチュエータが回動するとき、上記カム部が、上記係止部材の第２のビーム部に形成された係合部に係合して回動し、上記第２のビーム部を上記アクチュエータの回動に応じて変位させることを特徴とする請求項３記載のコネクタ装置。
【請求項６】
上記係止部材が、上記ハウジングの上記複数のコンタクトの配列方向の両端部の夫々に配されたことを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接触端子部を、固体印刷配線基板等とされる配線基板に電気的に接続された状態とするため、配線基板に連結されたもとで配線板状部材における接触端子部に押圧接触するコンタクトを備えたコネクタ装置に関する。
【背景技術】
【０００２】
各種の電子機器に実装される比較的小型なフレキシブル印刷配線基板や平板状ケーブル等の配線板状部材は、各種の電気部品が取り付けられる配線基板への取付けが、当該配線基板に電気的接続がなされて固定されたコネクタ装置が用いられて行われることが多いものとされる。このような配線板状部材の配線基板への取付けにあたって用いられるコネクタ装置は、配線板状部材に設けられた接触端子部に接触接続される導電性のコンタクトを有していて、そのコンタクトを介して、配線板状部材に設けられた接触端子部を配線基板に設けられた配線部に電気的に連結する。
【０００３】
従来提案されている、例えば、フレキシブル印刷配線基板とされる配線板状部材の配線基板への取付けに用いられるコネクタ装置は、配線板状部材が差し込まれる差込み部が設けられたものとされて配線基板に配される、絶縁材料によって形成されたハウジングを有したものとされる。そして、そのハウジングに配列配置されて設けられ、配線板状部材が差込み部を通じてハウジングに差し込まれたとき、その配線板状部材に設けられた複数の接触端子部に夫々対応するものとなる複数のコンタクトと、ハウジングに対して回動可能に設けられ、複数のコンタクトの夫々に係合して、回動せしめられるとき複数のコンタクトの夫々の部分を変位させ、それにより複数のコンタクトを複数の接触端子部に夫々押圧接触させるアクチュエータとが備えられる。
【０００４】
アクチュエータは、全体が複数のコンタクトの配列方向に沿って伸びる細長形状をとり、カム部と操作部とが設けられていて、カム部において複数のコンタクトの夫々と係合し、操作部が操作されることにより、ハウジングに対して回動せしめられる。
【０００５】
複数のコンタクトの各々は、導電性の弾性材料で形成され、ハウジングに固定される部分である固定部と連結部により固定部に連結されて変位可能とされた部分である可動部とを有するものされる。そして、固定部は、ハウジングが配された配線基板における印刷配線部等の配線部に電気的に接続され、また、可動部は、配線板状部材に設けられた接触端子部に押圧接触する接触部が設けられたもとで、アクチュエータのカム部によって変位せしめられる。
【０００６】
斯かるコネクタ装置にあっては、配線基板に配されたハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接触端子部のうちの対応するものに対する押圧接触状態をとらせる。また、複数のコンタクトの各々における可動部の接触部が配線板状部材に設けられた複数の接触端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接触端子部のうちの対応するものに対する押圧接触状態から解放する。
【０００７】
このような従来提案されているコネクタ装置にあっては、例えば、フレキシブル印刷配線基板もしくは平板状ケーブルとされる配線板状部材が、配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が配線基板との電気的連結状態におかれるにあたり、配線板状部材がハウジングから不所望に抜脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００８】
そのため、上述のような、ハウジングを有し、複数のコンタクトとハウジングに対して回動可能とされるアクチュエータとを備えたコネクタ装置であって、ハウジングに差込み部を通じて差し込まれた配線板状部材に係合して、当該配線板状部材のハウジングからの不所望な抜脱の阻止に関与する係止手段を備えたものが従来提案されている（例えば、特許文献１または特許文献２参照。）。
【０００９】
特許文献１に示されるコネクタ装置（電気コネクタ構造(100))にあっては、ハウジング（接続座体(10)) における複数のコンタクト（端子(30)) の配列方向の両端部に一対の係止手段（留め具(40)) が夫々取り付けられており、各係止手段には、ハウジングに対して回動可能に設けられたアクチュエータ（蓋板(20)) が備えるカム部（制動軸(23)) が係合している。このような係止手段の夫々は、ハウジングにその前端から差し込まれた配線板状部材（フラットケーブル(200))における係合受部（切り溝(202))との嵌合状態をとる嵌合部(414) が、コネクタ装置の厚み方向に突出するものとして先端に形成されたストップアーム(41)を、ハウジング内においてコネクタ装置の厚み方向に変位可能なものとして有している。
【００１０】
そして、ハウジングに配線板状部材が差し込まれたもとで、アクチュエータが、複数のコンタクトに配線板状部材における複数の接触端子部との接触接続状態をとらせるべく回動せしめられるとき、係止手段に係合したアクチュエータのカム部が、アクチュエータの回動に伴って回動して、係止手段におけるストップアームをハウジング内においてコネクタ装置の厚み方向に変位させ、それにより、ストップアームの先端に形成されたコネクタ装置の厚み方向に突出する嵌合部が、配線板状部材における係合受部に嵌合して配線板状部材を係止する。その結果、配線板状部材のハウジングからの不所望な抜脱が阻止される。
【００１１】
また、特許文献２に示されるコネクタ装置（コネクタ(1))にあっては、ハウジング（10) における複数のコンタクト（信号端子(20A,20B))の配列方向の両端部に一対の係止手段（ロック部材(45)) が夫々取り付けられており、各係止手段には、ハウジングに対して回動可能に設けられたアクチュエータ（可動部材(30)) が備えるカム部（32C)が係合している。このような係止手段の夫々は、ハウジングに固定された下腕部(47)と連結部(48)によって下腕部(47)に連結されて支持された上腕部(46)とを有して、全体としてＨ状を成すものとされており、上腕部(46)が、係止手段に係合するアクチュエータのカム部(30)により、アクチュエータの回動に伴い、ハウジング内においてコネクタ装置の厚み方向において変位せしめられる。そして、各係止手段においては、その下腕部に、ハウジングに差し込まれた配線板状部材（平型導体(F))における係合受部（被係止部(F2)) との係合状態をとる、コネクタ装置の厚み方向に突出するロック突部(52)が設けられ、また、その上腕部に、ハウジングに差し込まれた配線板状部材に対する押圧状態をとる押圧部(49)が設けられている。
【００１２】
このようなもとで、配線板状部材がハウジングに差し込まれて、アクチュエータが、複数のコンタクトに配線板状部材における複数の接触端子部との接触接続状態をとらせるべく回動せしめられると、係止手段における下腕部に設けられたコネクタ装置の厚み方向に突出するロック突部が、ハウジングに差し込まれた配線板状部材における係合受部に係合して配線板状部材を係止するとともに、係止手段における上腕部がアクチュエータの回動に伴って回動するカム部によりハウジング内においてコネクタ装置の厚み方向に変位せしめられて、それに設けられた押圧部が、ハウジングに差し込まれた配線板状部材を係止手段における下腕部に向けて押圧する。それにより、係止手段におけるロック突部による配線板状部材に対する係止が確実になされ、配線板状部材のハウジングからの不所望な抜脱が阻止される。
【先行技術文献】
【特許文献】
【００１３】
【特許文献１】実用新案登録第３１６１７１６号公報（段落００２０，００２１，０    ０３３，００３４、図４，５）
【特許文献２】特開２０１０−２３８５１２号公報（段落００３９〜００４６、図４    ，５）
【発明の概要】
【発明が解決しようとする課題】
【００１４】
上述のように、ハウジングに配列配置された複数のコンタクトと、ハウジングに対して回動可能とされたアクチュエータと、ハウジングに差し込まれた配線板状部材を係止して、当該配線板状部材のハウジングからの不所望な抜脱を阻止する係止手段を備えた従来のコネクタ装置においては、係止手段が、ハウジング内においてコネクタ装置の厚み方向に変位可能とされた可動部分とハウジング内においてコネクタ装置の厚み方向に突出するものとされた嵌合部もしくはロック突部とを有していて、可動部分がハウジング内においてコネクタ装置の厚み方向において変位せしめられるとともに、嵌合部もしくはロック突部がハウジングに差し込まれた配線板状部材における係合受部にコネクタ装置の厚み方向において係合することによって、係止手段によるハウジングに差し込まれた配線板状部材に対する係止が行われる。それゆえ、斯かるコネクタ装置にあっては、係止手段によるハウジングに差し込まれた配線板状部材に対する係止を確実かつ堅固に行うためには、ハウジングの内部にコネクタ装置の厚み方向の寸法が比較的大とされたスペースを設けることが必要とされることになる。
【００１５】
これよりして、前述の従来のコネクタ装置に備えられているような係止手段は、昨今における、全体の厚み方向の寸法が低減されたコネクタ装置、即ち、低背化及び小型化が図られたコネクタ装置に適用することが困難であり、また、仮に適用されたとしても、ハウジングに差し込まれた配線板状部材に対する係止を確実かつ堅固に行うことができないものとなってしまうという不都合を伴っていることになる。そして、従前にあっては、斯かる不都合が解消された係止手段を備えているコネクタ装置は見当たらない。
【００１６】
斯かる点に鑑み、本願の特許請求の範囲に記載された発明は、例えば、フレキシブル印刷配線基板等とされる配線板状部材の配線基板への取付けに用いられる、板状部材差込み部が設けられたハウジングと、ハウジングに配列配置されて設けられる複数のコンタクトと、回動可能に配されて複数のコンタクトの夫々に係合し、複数のコンタクトの夫々に板状部材差込み部を通じてハウジングに差し込まれた配線板状部材における接触端子部に対する押圧接触状態をとらせる押圧位置をとるアクチュエータと、アクチュエータが押圧位置をとるとき、ハウジングに差し込まれた配線板状部材を係止して、配線板状部材のハウジングからの抜脱を阻止する係止部材とを備えたコネクタ装置であって、係止部材が、コネクタ装置全体の低背化及び小型化が図られたもとにあっても、ハウジングに差し込まれた配線板状部材に対する係止を確実かつ堅固に行うことができることになるものを提供する。
【課題を解決するための手段】
【００１７】
本願の特許請求の範囲における請求項１から請求項６までのいずれかに記載された発明（以下、本願発明という。）に係るコネクタ装置は、板状部材差込み部が設けられたハウジングと、ハウジングに配列配置され、板状部材差込み部を通じてハウジングに差し込まれた配線板状部材における複数の接触端子部に夫々対応する位置をとるものとされる複数のコンタクトと、ハウジングに対して回動可能に設けられて複数のコンタクトに係合し、複数のコンタクトの夫々にハウジングに差し込まれた配線板状部材における複数の接触端子部のうちの対応するものに対する押圧接触状態をとらせる押圧位置をとるアクチュエータと、ハウジングに配されてアクチュエータに係合し、アクチュエータが押圧位置をとるとき、ハウジングに差し込まれた配線板状部材を係止して、配線板状部材のハウジングからの抜脱を阻止する係止部材とを備えて構成され、係止部材が、ハウジングに差し込まれた配線板状部材における係合受部に係合する係合突起部と、係合突起部に対向する位置に設けられて、ハウジングに差し込まれた配線板状部材における係合受部が形成された部分が乗り上げる凸部と、を有することを特徴とする。
【００１８】
特に、本願発明のうちの本願の特許請求の範囲における請求項４に記載された発明に係るコネクタ装置は、係止部材が、ハウジングに固定される第１のビーム部と、ハウジングに対して移動可能とされた第２のビーム部と、第１のビーム部と第２のビーム部とを相互連結する連結部とを有し、第１のビーム部に凸部が形成されているとともに、第２のビーム部に係合突起部とアクチュエータとの係合部とが形成されていて、第２のビーム部が、アクチュエータの回動に応じて変位し、アクチュエータが押圧位置をとるとき、係合突起部を配線板状部材における係合受部を通じて上述の凸部に近接もしくは当接させる位置をとることを特徴とする。
【００１９】
上述のように構成される本願発明に係るコネクタ装置は、実際に使用される際には、ハウジングが配線基板に配されたものとされる。そして、本願発明に係るコネクタ装置にあっては、配線基板に配されたハウジングに板状部材差込み部を通じて配線板状部材が差し込まれたもとで、アクチュエータが押圧位置をとるものとされると、アクチュエータが係合する複数のコンタクトの夫々が、ハウジングに差し込まれた配線板状部材における複数の接触端子部のうちの対応するものに対する押圧接触状態をとるものとされる。また、それとともに、複数のコンタクトが夫々押圧接触される複数の接触端子部を有してハウジングに差し込まれた配線板状部材は、ハウジングに配されてアクチュエータに係合する係止部材によって係止され、ハウジングからの抜脱が阻止される。
【００２０】
係止部材は、ハウジングに差し込まれた配線板状部材における係合受部に係合する係合突起部と、係合突起部に対向する位置に設けられて、ハウジングに差し込まれた配線板状部材における係合受部が形成された部分が乗り上げる凸部とを有している。そして、配線板状部材における係合受部が形成された部分が係止部材における凸部に乗り上げたもとで、係止部材における係合突起部が配線板状部材における係合受部に係合することにより、ハウジングに差し込まれた配線板状部材が、係止部材により係止されて、ハウジングからの抜脱が阻止される状態におかれる。
【００２１】
そして、係止部材は、例えば、本願の特許請求の範囲における請求項４に記載された発明に係るコネクタ装置に備えられるもののように、ハウジングに固定される第１のビーム部と、ハウジングに対して移動可能とされた第２のビーム部と、第１のビーム部と第２のビーム部とを相互連結する連結部とを有し、第１のビーム部に凸部が形成されているとともに、第２のビーム部に係合突起部とアクチュエータとの係合部とが形成されていて、第２のビーム部が、アクチュエータの回動に応じて変位し、アクチュエータが押圧位置をとるとき、係合突起部を配線板状部材における係合受部を通じて凸部に近接もしくは当接させる位置をとるものとされる。
【発明の効果】
【００２２】
本願発明に係るコネクタ装置においては、上述のように、ハウジングに板状部材差込み部を通じて差し込まれた配線板状部材が、それにおける係合受部が形成された部分が係止部材における凸部に乗り上げたもとで、係止部材における係合突起部が配線板状部材における係合受部に係合することにより、係止部材により係止されてハウジングからの抜脱が阻止される状態におかれる。その際、係合突起部とそれに対向する凸部とを有した係止部材は、コネクタ装置の厚み方向の寸法が比較的小とされたもとで、配線板状部材における係止部材の凸部に乗り上げた部分に形成された係合受部に係合突起部が係合し、それにより、ハウジングに差し込まれた配線板状部材に対する係止を確実かつ堅固に行うことができるものとなる。従って、本願発明に係るコネクタ装置によれば、コネクタ装置全体の低背化及び小型化が図られたもとにあっても、それに備えられた係止部材によって、ハウジングに差し込まれた配線板状部材に対する係止を確実かつ堅固に行うことができることになる。
【００２３】
特に、本願の特許請求の範囲における請求項４に記載された発明に係るコネクタ装置にあっては、係止部材が、例えば、ハウジングに固定される第１のビーム部と、ハウジングに対して移動可能とされた第２のビーム部と、第１のビーム部と第２のビーム部とを相互連結する連結部とを有し、第１のビーム部に凸部が形成されているとともに、第２のビーム部に係合突起部とアクチュエータとの係合部とが形成されていて、第２のビーム部が、アクチュエータの回動に応じて変位し、アクチュエータが押圧位置をとるとき、係合突起部を配線板状部材における係合受部を通じて凸部に近接もしくは当接させる位置をとるものとされるので、配線板状部材における係止部材の凸部に乗り上げた部分に形成された係合受部に対する係合突起部の係合が、係止部材のコネクタ装置の厚み方向の寸法が比較的小とされたもとで極めて堅固に行われる。その結果、コネクタ装置全体の低背化及び小型化が図られたもとにおいても、ハウジングに差し込まれた配線板状部材に対する係止部材による係止が、より一層確実かつ堅固に行われる。
【図面の簡単な説明】
【００２４】
【図１】本願発明に係るコネクタ装置の一例を、それに装着されるフレキシブル印刷配線基板の部分と共に示す部分斜視図である。
【図２】本願発明に係るコネクタ装置の一例を、それに装着されるフレキシブル印刷配線基板の部分と共に示す部分平面図である。
【図３】本願発明に係るコネクタ装置の一例を示す正面図である。
【図４】本願発明に係るコネクタ装置の一例に備えられるコンタクトの説明に供される斜視図である。
【図５】図３におけるV −V 線断面を示す断面図である。
【図６】本願発明に係るコネクタ装置の一例をその断面があらわされたものとして示す部分斜視図である。
【図７】本願発明に係るコネクタ装置の一例に備えられる係止部材の説明に供される斜視図である。
【図８】図３におけるVIII−VIII線断面を示す断面図である。
【図９】本願発明に係るコネクタ装置の一例をその断面があらわされたものとして示す部分斜視図である。
【図１０】本願発明に係るコネクタ装置の一例にフレキシブル印刷配線基板が装着されて、アクチュエータが押圧位置をとるものとされた状態を示す部分斜視図である。
【図１１】本願発明に係るコネクタ装置の一例にフレキシブル印刷配線基板が装着されて、アクチュエータが押圧位置をとるものとされた状態を示す部分平面図である。
【図１２】本願発明に係るコネクタ装置の一例にフレキシブル印刷配線基板が装着されて、アクチュエータが押圧位置をとるものとされた状態を示す正面図である。
【図１３】図１２におけるX111−XIII線断面を示す断面図である。
【図１４】本願発明に係るコネクタ装置の一例にフレキシブル印刷配線基板が装着されて、アクチュエータが押圧位置をとるものとされた状態を、断面を含むものとして示す部分斜視図である。
【図１５】図１２におけるXV−XV線断面を示す断面図である。
【図１６】本願発明に係るコネクタ装置の一例にフレキシブル印刷配線基板が装着されて、アクチュエータが押圧位置をとるものとされた状態を、断面を含むものとして示す部分斜視図である。
【発明を実施するための形態】
【００２５】
本願発明を実施するための形態は、以下に述べられる本願発明についての実施例をもって説明される。
【実施例】
【００２６】
図１（部分斜視図）及び図２（部分平面図）は、本願発明に係るコネクタ装置の一例を、それに装着される配線板状部材を成すフレキシブル印刷配線基板と共に示し、図３（正面図）は、本願発明に係るコネクタ装置の一例を示す。
【００２７】
図１〜図３において、本願発明に係るコネクタ装置の一例を成すコネクタ装置１０は、合成樹脂等の絶縁材料によって形成され、電子機器等の配線基板に配されるハウジング１１を備えている。ハウジング１１には、その正面側端縁部に板状部材差込み部１２が設けられており、板状部材差込み部１２からハウジング１１の内部へと板状部材収容部１３（後述される図６，図８及び図９に示されている。）が拡がっている。即ち、ハウジング１１には、その内部に、板状部材収容部１３が板状部材差込み部１２に連結されたものとして設けられているのである。
【００２８】
ハウジング１１が、例えば、電子機器等の配線基板に配されるときには、コネクタ装置１０の全体が当該配線基板に取り付けられたものとされる。そして、電子機器等の配線基板に配されたハウジング１１に、配線板状部材を成すフレキシブル印刷配線基板１５の一端部が、板状部材差込み部１２を通じてその内部へと差し込まれ、フレキシブル印刷配線基板１５が、ハウジング１１の内部に設けられた板状部材収容部１３に部分的に収容された状態におかれる。
【００２９】
ハウジング１１には、各々が弾性導電材料で形成された複数のコンタクト１６が、ハウジング１１の長手方向に沿う方向に沿って配列配置されて設けられている。複数のコンタクト１６の夫々は、その大部分がハウジング１１の内部に収容されたものとされているが、図２に示されるように、一端部がハウジング１１における正面側端縁部に対向する背面側端縁部からその外部に突出して接続端子部１６ａを形成している。これらの配列配置された複数のコンタクト１６は、それらの配列の両端に夫々位置するものが一対の接地用コンタクトとされており、一対の接地用コンタクトに挟まれた残りのものが信号用コンタクトとされている。
【００３０】
フレキシブル印刷配線基板１５には、その一端部において、各々が短冊状を成すものとされて配列配置された複数の信号用接触端子部１７と、それらを挟む一対の接地用接触端子部１８とが、ハウジング１１に対する板状部材差込み部１２を通じた差込みまたは抜出し方向に直交する方向に沿って配されている（以下、複数の信号用接触端子部１７とそれらを挟む一対の接地用接触端子部１８とが配されたフレキシブル印刷配線基板１５の一端部を端子端部という。）。また、フレキシブル印刷配線基板１５は、配列配置された複数の信号用接触端子部１７を挟む一対の接地用接触端子部１８が夫々配された両側端部分に、一対の切欠き係合受部１９が夫々形成されている。
【００３１】
このようなフレキシブル印刷配線基板１５は、その端子端部がコネクタ装置１０におけるハウジング１１に板状部材差込み部１２を通じて差し込まれて、ハウジング１１の内部に設けられた板状部材収容部１３に収容された状態におかれる。そして、斯かる状態のもとにおいて、複数の信号用接触端子部１７に、ハウジング１１に配列配置された複数のコンタクト１６のうちの信号用コンタクトとされたものが夫々押圧接触するとともに、一対の接地用接触端子部１８に、ハウジング１１に配列配置された複数のコンタクト１６のうちの接地用コンタクトとされたものが夫々押圧接触する状態がとられる。
【００３２】
複数のコンタクト１６の配列方向 (以下、コンタクト配列方向という。）を長手方向とするハウジング１１は、板状部材差込み部１２を通じたフレキシブル印刷配線基板１５の差込みまたは抜出し方向を奥行き方向とし、その長手方向及び奥行き方向に直交する方向を厚み方向とするものとされる。そして、フレキシブル印刷配線基板１５は、その端子端部が板状部材差込み部１２を通じてハウジング１１に差し込まれるにあたっては、複数の信号用接触端子部１７及び一対の接地用接触端子部１８が配された面及びそれに対向する面が、ハウジング１１の厚み方向において相互対向する状態におかれる。
【００３３】
また、ハウジング１１における背面側端縁部側には、コンタクト配列方向、即ち、ハウジング１１の長手方向に沿って伸び、その長手方向がハウジング１１の長手方向に一致することになるアクチュエータ２０が、ハウジング１１に対して回動可能に設けられている。アクチュエータ２０は、図１〜図３に示されるような、ハウジング１１に対して起き上がった状態におかれるものとされる位置を第１の静止位置としてとることができ、また、後述される図１０及び図１１に示されるような、ハウジング１１に対して伏した状態におかれるものとされる位置を第２の静止位置としてとることができて、回動操作されることにより、第１の静止位置から第２の静止位置への移行、あるいは、第２の静止位置から第１の静止位置への移行を行うものとされている。
【００３４】
さらに、ハウジング１１には、その長手方向、即ち、コンタクト配列方向の両端部に、各々の一部分がハウジング１１における正面側端縁部側においてハウジング１１外に臨むものとされた一対の係止部材２１が配されている。これら一対の係止部材２１は、各々が、例えば、弾性導電材料で形成されていて、配列配置された複数のコンタクト１６を挟む位置をとるものとされており、それらの各々が、フレキシブル印刷配線基板１５の端子端部が、ハウジング１１に板状部材差込み部１２を通じて差し込まれてハウジング１１の内部に設けられた板状部材収容部１３に収容された状態におかれたとき、フレキシブル印刷配線基板１５の端子端部に形成された切欠き係合受部１９に係合してフレキシブル印刷配線基板１５を係止し、フレキシブル印刷配線基板１５のハウジング１１からの不所望な抜脱を阻止する役割を果たす。
【００３５】
複数のコンタクト１６の夫々は、図４に示されるように、弾性導電材料で形成された、全体として「エ」字状を成す部材とされている。このような「エ」字状とされたコンタクト１６にあっては、連結部２５によって相互連結された一対のビーム部２６及び２７のうち、ビーム部２６がハウジング１１に固定される固定ビーム部とされるとともに、ビーム部２７がハウジング１１に対して移動可能とされる可動ビーム部とされる。固定ビーム部とされたビーム部２６にあっては、その一端部に接続端子部１６ａが形成されており、また、接続端子部１６ａの近傍部分が、それにアクチュエータ２０が係合するアクチュエータ係合部２６ａとされている。一方、可動ビーム部とされたビーム部２７にあっては、ビーム部２６におけるアクチュエータ係合部２６ａに対向する部分が、それにアクチュエータ２０が係合するアクチュエータ係合部２７ａとされ、また、ビーム部２６の他端部である端部２６ｂに対向する端部に、フレキシブル印刷配線基板１５の端子端部に配された信号用接触端子部１７もしくは接地用接触端子部１８に対する押圧接触状態をとる接触押圧部２７ｂが形成されている。
【００３６】
このようなコンタクト１６がハウジング１１に配されるにあたっては、図３におけるV −V 線断面を示す図５及び図６に示されるように、固定ビーム部とされたビーム部２６と可動ビーム部とされたビーム部２７とが、連結部２５を挟んでハウジング１１の厚み方向において相互対向するものとされ、ビーム部２６がハウジング１１に形成された溝１１ａに配されてハウジング１１に固定される状態をもって、ハウジング１１内の板状部材収容部１３に収容される。そして、ビーム部２６の端部２６ｂとビーム部２７における接触押圧部２７ｂとが、ハウジング１１の厚み方向において相互対向するものとされて、ハウジング１１に設けられた板状部材差込み部１２に臨む位置に配される。また、ビーム部２６におけるアクチュエータ係合部２６ａとビーム部２７におけるアクチュエータ係合部２７ａとが、ハウジング１１の厚み方向において相互対向するものとされて、ハウジング１１の背面側端縁部側に配され、ビーム部２６の一端部に形成された接続端子部１６ａが、ハウジング１１における背面側端縁部からその外部に突出し、ハウジング１１が配される、例えば、電子機器の配線基板に設けられた配線部における信号端子部に接続される。図５及び図６においては、アクチュエータ２０は、ハウジング１１に対して起き上がった状態におかれるものとされる第１の静止位置をとるものとされている。
【００３７】
一対の係止部材２１の夫々は、図７に示されるように、コンタクト１６と同様に、弾性導電材料で形成された、全体として「エ」字状を成す部材とされている。このような「エ」字状とされた係止部材２１にあっては、連結部２８によって相互連結された一対のビーム部２９及び３０のうち、ビーム部２９がハウジング１１に固定される固定ビーム部とされるとともに、ビーム部３０がハウジング１１に対して移動可能とされる可動ビーム部とされる。固定ビーム部とされたビーム部２９にあっては、その一端部が、それにアクチュエータ２０が係合するアクチュエータ係合部２９ａとされ、また、その他端部が、ハウジング１１における正面側端縁部からその外部に突出する接続端子部２１ａを形成しており、さらに、その接続端子部２１ａの近傍部分に、ビーム部３０に向かって隆起した凸部２９ｂが形成されている。一方、可動ビーム部とされたビーム部３０にあっては、ビーム部２９におけるアクチュエータ係合部２９ａに対向する部分が、それにアクチュエータ２０が係合するアクチュエータ係合部３０ａとされ、また、ビーム部２９における凸部２９ｂに対向する部位に、凸部２９ｂに向かって突出して、フレキシブル印刷配線基板１５の端子端部に形成された切欠き係合受部１９に係合する状態をとる係合突起部３０ｂが形成されている。ビーム部２９の他端部に形成された凸部２９ｂは、ハウジング１１に差し込まれたフレキシブル印刷配線基板１５における切欠き係合受部１９が形成された部分がそれに乗り上げるものとされる。
【００３８】
従って、係止部材２１は、ハウジング１１に固定される固定ビーム部とされたビーム部２９と、ハウジング１１に対して移動可能とされる可動ビーム部とされたビーム部３０と、ビーム部２９とビーム部３０とを相互連結する連結部２８とを有し、ビーム部３０に、フレキシブル印刷配線基板１５の端子端部に形成された切欠き係合受部１９に係合する状態をとる係合突起部３０ｂとアクチュエータ２０との係合状態をとるアクチュエータ係合部３０ａとが形成されるとともに、ビーム部２９に、係合突起部３０ｂに対向する位置に設けられて、ハウジング１１に差し込まれたフレキシブル印刷配線基板１５における切欠き係合受部１９が形成された部分が乗り上げるものとされる凸部２９ｂとアクチュエータ２０との係合状態をとるアクチュエータ係合部２９ａとが形成されているものとされていることになる。
【００３９】
このような係止部材２１がハウジング１１に配されるにあたっては、図３におけるVIII−VIII線断面を示す図８及び図９に示されるように、固定ビーム部とされたビーム部２９と可動ビーム部とされたビーム部３０とが、連結部２８を挟んでハウジング１１の厚み方向において相互対向するものとされ、ビーム部２９がハウジング１１に固定される状態をもって、ハウジング１１内の板状部材収容部１３に収容される。そして、ビーム部２９における凸部２９ｂとビーム部３０における係合突起部３０ｂとが、ハウジング１１の厚み方向において相互対向するものとされて、ハウジング１１に設けられた板状部材差込み部１２に臨む位置に配され、ビーム部２９の他端部が形成する接続端子部２１ａが、ハウジング１１における正面側端縁部からその外部に突出し、ハウジング１１が配される、例えば、電子機器の配線基板に設けられた配線部における接地電位部に接続される。さらに、ビーム部２９におけるアクチュエータ係合部２９ａとビーム部３０におけるアクチュエータ係合部３０ａとが、ハウジング１１の厚み方向において相互対向するものとされて、ハウジング１１の背面側端縁部側に配される。図８及び図９においても、アクチュエータ２０は、ハウジング１１に対して起き上がった状態におかれるものとされる第１の静止位置をとるものとされている。
【００４０】
ハウジング１１に対して回動可能に配されたアクチュエータ２０には、図５，図６，図８及び図９に示されるように、ハウジング１１内において複数のコンタクト１６に夫々係合する複数のカム部３５及びハウジング１１内において一対の係止部材２１に夫々係合する一対のカム部３６が設けられている。各カム部３５は、それに対応するコンタクト１６におけるビーム部２６に設けられたアクチュエータ係合部２６ａとビーム部２７に設けられたアクチュエータ係合部２７ａとにより挟まれて、アクチュエータ係合部２６ａ及びアクチュエータ係合部２７ａの夫々に係合しており、アクチュエータ２０の回動に伴って回動する。また、各カム部３６は、それに対応する係止部材２１におけるビーム部２９に設けられたアクチュエータ係合部２９ａとビーム部３０に設けられたアクチュエータ係合部３０ａとにより挟まれて、アクチュエータ係合部２９ａ及びアクチュエータ係合部３０ａの夫々に係合しており、アクチュエータ２０の回動に伴って回動する。
【００４１】
アクチュエータ２０が、図１及び図３に示されるように、第１の静止位置をとるもとにあっては、図５及び図６に示されるように、各カム部３５における断面差渡し径が極大となる極大寸法部以外の部分が、対応するコンタクト１６におけるビーム部２６に設けられたアクチュエータ係合部２６ａとビーム部２７に設けられたアクチュエータ係合部２７ａとに当接する。斯かる状況のもとでは、各カム部３５に対応するコンタクト１６は、固定ビーム部とされたビーム部２６の端部２６ｂと可動ビーム部とされたビーム部２７における接触押圧部２７ｂとが、ハウジング１１内の板状部材収容部１３において形成する相互間間隔を比較的大なるものに維持するものとされる。同様に、アクチュエータ２０が第１の静止位置をとるもとにあっては、図８及び図９に示されるように、各カム部３６における断面差渡し径が極大となる極大寸法部以外の部分が、対応する係止部材２１におけるビーム部２９に設けられたアクチュエータ係合部２９ａとビーム部３０に設けられたアクチュエータ係合部３０ａとに当接する。斯かる状況のもとでは、各カム部３６に対応する係止部材２１は、固定ビーム部とされたビーム部２９に設けられた凸部２９ｂと可動ビーム部とされたビーム部３０に設けられた係合突起部３０ｂとが、ハウジング１１内の板状部材収容部１３において形成する相互間間隔を比較的大なるものに維持するものとされる。
【００４２】
このようなコネクタ装置１０にあっては、アクチュエータ２５が第１の静止位置をとるもとにおいて、図１及び図２に示される状態におかれた配線板状部材としてのフレキシブル印刷配線基板１５が、その端子端部をもって、ハウジング１１に、板状部材差込み部１２を通じて、ハウジング１１の長手方向に直交する奥行き方向に沿って差し込まれるものとされる。それにより、図１０〜図１２に示されるように、フレキシブル印刷配線基板１５の端子端部が、板状部材差込み部１２を通じてハウジング１１に差し込まれ、ハウジング１１内の板状部材収容部１３に部分的に収容された状態が得られる。
【００４３】
このようにして、フレキシブル印刷配線基板１５の端子端部がハウジング１１内の板状部材収容部１３に部分的に収容されたもとにあっては、フレキシブル印刷配線基板１５の端子端部は、板状部材収容部１３内において、複数のコンタクト１６の夫々における固定ビームとされたビーム部２６の板状部材差込み部１２側の部分と可動ビーム部とされたビーム部２７の板状部材差込み部１２側の部分との間、及び、一対の係止部材２１の夫々における固定ビームとされたビーム部２９の板状部材差込み部１２側の部分と可動ビーム部とされたビーム部３０の板状部材差込み部１２側の部分との間に配される。その際、フレキシブル印刷配線基板１５の端子端部における切欠き係合受部１９が形成された部分が、一対の係止部材２１の夫々におけるビーム部２９に設けられた凸部２９ｂに乗り上げた状態におかれる。
【００４４】
また、このとき、ハウジング１１に配列配置された複数のコンタクト１６のうちの複数の信号用コンタクトとされたものが、板状部材収容部１３に部分的に収容されたフレキシブル印刷配線基板１５の端子端部に配された複数の信号用接触端子部１７に夫々適正に対応する位置をとるものとされるとともに、ハウジング１１に配列配置された複数のコンタクト１６のうちの一対の接地用コンタクトとされたものが、板状部材収容部１３に部分的に収容されたフレキシブル印刷配線基板１５の端子端部に配された一対の接地用接触端子部１８に夫々適正に対応する位置をとるものとされる。
【００４５】
その後、アクチュエータ２０が、第１の静止位置から第２の静止位置へとハウジング１１に対して回動せしめられ、図１０〜図１２に示されるように、第２の静止位置をとるものとされると、板状部材差込み部１２を通じてハウジング１１に差し込まれ、ハウジング１１内の板状部材収容部１３に部分的に収容されたフレキシブル印刷配線基板１５の端子端部に、ハウジング１１に配列配置された複数のコンタクト１６及び一対の係止部材２１が係合する状態がとられる。このようなフレキシブル印刷配線基板１５の端子端部に対する複数のコンタクト１６及び一対の係止部材２１の係合は、複数のコンタクト１６のうちの複数の信号用コンタクトとされたものが、フレキシブル印刷配線基板１５の端子端部に配された複数の信号用接触端子部１７に夫々押圧接触するものとされるとともに、複数のコンタクト１６のうちの一対の接地用コンタクトとされたものが、フレキシブル印刷配線基板１５の端子端部に配された一対の接地用接触端子部１８に夫々押圧接触するものとされ、さらに、一対の係止部材２１が、フレキシブル印刷配線基板１５の端子端部に形成された一対の切欠き係合受部１９に係合して、フレキシブル印刷配線基板１５を係止するものとされることによりなされる。
【００４６】
斯かる際においては、先ず、アクチュエータ２０が第１の静止位置をとり、ハウジング１１に板状部材差込み部１２を通じて差し込まれたフレキシブル印刷配線基板１５の端子端部が、ハウジング１１に設けられた板状部材収容部１３内において、複数のコンタクト１６の夫々におけるビーム部２６の板状部材差込み部１２側の部分とビーム部２７の板状部材差込み部１２側の部分との間、及び、一対の係止部材２１の夫々におけるビーム部２９の板状部材差込み部１２側の部分とビーム部３０の板状部材差込み部１２側の部分との間に配されたもとにおいて、第１の静止位置をとるアクチュエータ２０が、回動操作されることにより、第１の静止位置から第２の静止位置に移行すべく回動せしめられ、ハウジング１１に対して伏した状態におかれる。それにより、アクチュエータ２０の第１の静止位置から第２の静止位置への移行に伴って、図１２におけるX111−XIII線断面を示す図１３及び図１４に示されるように、アクチュエータ２０に設けられた複数のカム部３５の夫々が、その極大寸法部を対応するコンタクト１６におけるビーム部２６に設けられたアクチュエータ係合部２６ａとビーム部２７に設けられたアクチュエータ係合部２７ａとの両者に係合させ、また、図１２におけるXV−XV線断面を示す図１５及び図１６に示されるように、アクチュエータ２０に設けられた一対のカム部３６の夫々が、その極大寸法部を対応する係止部材２１におけるビーム部２９に設けられたアクチュエータ係合部２９ａとビーム部３０に設けられたアクチュエータ係合部３０ａとの両者に係合させる。
【００４７】
フレキシブル印刷配線基板１５の端子端部がハウジング１１内の板状部材収容部１３に部分的に収容されたもとにおいて、コンタクト１６におけるビーム部２６に設けられたアクチュエータ係合部２６ａとビーム部２７に設けられたアクチュエータ係合部２７ａとの両者に係合するカム部３５の極大寸法部は、ビーム部２７に、仮にフレキシブル印刷配線基板１５の端子端部が板状部材収容部１３に収容されていないとすれば、ビーム部２６の端部２６ｂとビーム部２７における接触押圧部２７ｂとが板状部材収容部１３内において形成する相互間間隔を狭めるように変位させることになる応力を作用させ、それにより、ビーム部２７は、その接触押圧部２７ｂが板状部材収容部１３に部分的に収容されたフレキシブル印刷配線基板１５の端子端部に配された複数の信号用接触端子部１７のうちの対応するもの、もしくは、一対の接地用接触端子部１８のうちの対応するものに押圧接触する状態におかれる。その結果、板状部材収容部１３に部分的に収容されたフレキシブル印刷配線基板１５の端子端部に配された複数の信号用接触端子部１７及び一対の接地用接触端子部１８の夫々が、対応するコンタクト１６を通じて、ハウジング１１が配された配線基板に設けられた配線部における信号端子部もしくは接地電位部に電気的に接続されることになる。
【００４８】
このようにして、フレキシブル印刷配線基板１５の端子端部が板状部材差込み部１２を通じてハウジング１１に差し込まれ、ハウジング１１内の板状部材収容部１３に部分的に収容されたもとにおいて、アクチュエータ２０が第２の静止位置をとるときには、複数のコンタクト１６の夫々が、板状部材収容部１３に部分的に収容されたフレキシブル印刷配線基板１５の端子端部に配された複数の信号用接触端子部１７のうちの対応するもの、もしくは、一対の接地用接触端子部１８のうちの対応するものに押圧接触する状態におかれる。それゆえ、アクチュエータ２０がとる第２の静止位置は、複数のコンタクト１６の夫々がフレキシブル印刷配線基板１５の端子端部に配された複数の信号用接触端子部１７のうちの対応するもの、もしくは、一対の接地用接触端子部１８のうちの対応するものに押圧接触する状態をもたらす押圧位置であることになる。即ち、アクチュエータ２０は、フレキシブル印刷配線基板１５の端子端部が板状部材差込み部１２を通じてハウジング１１に差し込まれ、ハウジング１１内の板状部材収容部１３に部分的に収容されたもとにおいて、複数のコンタクト１６の夫々に、板状部材収容部１３に部分的に収容されたフレキシブル印刷配線基板１５の端子端部に配された複数の信号用接触端子部１７のうちの対応するもの、もしくは、一対の接地用接触端子部１８のうちの対応するものに対する押圧接触状態をとらせる押圧位置（第２の静止位置）をとるものとされているのである。
【００４９】
また、フレキシブル印刷配線基板１５の端子端部がハウジング１１内の板状部材収容部１３に部分的に収容されたもとにおいて、アクチュエータ２０が押圧位置をとることにより、係止部材２１におけるビーム部２９に設けられたアクチュエータ係合部２９ａとビーム部３０に設けられたアクチュエータ係合部３０ａとの両者に係合するカム部３６の極大寸法部は、ビーム部３０に、ビーム部２９に設けられた凸部２９ｂとビーム部３０に設けられた係合突起部３０ｂとが板状部材収容部１３内において形成する相互間間隔を狭めるように変位させることになる応力を作用させる。それにより、ビーム部３０は、その係合突起部３０ｂを、フレキシブル印刷配線基板１５の端子端部におけるビーム部２９に設けられた凸部２９ｂに乗り上げた部分に形成された切欠き係合受部１９に係合させ、切欠き係合受部１９を通じて、ビーム部２９に設けられた凸部２９ｂに近接もしくは当接させる。その結果、係止部材２１におけるビーム部３０に設けられた係合突起部３０ｂが、フレキシブル印刷配線基板１５の端子端部に形成された切欠き係合受部１９に係合して、フレキシブル印刷配線基板１５を係止する状態におかれ、ハウジング１１内の板状部材収容部１３に部分的に収容された端子端部を有するフレキシブル印刷配線基板１５のハウジング１１からの不所望な抜脱が阻止される。
【００５０】
このようにして、係止部材２１におけるビーム部３０に設けられた係合突起部３０ｂがフレキシブル印刷配線基板１５の端子端部に形成された切欠き係合受部１９に係合するとき、フレキシブル印刷配線基板１５の端子端部における切欠き係合受部１９が形成された部分が、係止部材２１におけるビーム部２９に設けられた凸部２９ｂに乗り上げて、切欠き係合受部１９をビーム部３０に近接させた位置をとるものとされており、また、係合突起部３０ｂが切欠き係合受部１９を通じて凸部２９ｂに近接もしくは当接するものとされるので、係合突起部３０ｂの切欠き係合受部１９に対する係合が、極めて確実かつ堅固に行われることになる。しかも、ハウジング１１内において、ビーム部３０に設けられた係合突起部３０ｂに、フレキシブル印刷配線基板１５の端子端部に形成された切欠き係合受部１９を通じて、ビーム部２９に設けられた凸部２９ｂに近接もしくは当接する状態をとらせる係止部材２１は、係合突起部３０ｂを切欠き係合受部１９に対して極めて確実かつ堅固に係合させるにあたり、ハウジング１１の厚み方向となるコネクタ装置１０の厚み方向の寸法を比較的小とすることができるものとされ、従って、コネクタ装置１０の低背化及び小型化が図られるもとにおいても、支障なくコネクタ装置１０に適用することができる。
【００５１】
その後、コネクタ装置１０は、必要に応じて、押圧位置である第２の静止位置をとるアクチュエータ２０を、複数のコンタクト１６の夫々を、フレキシブル印刷配線基板１５の端子端部に配された複数の信号用接触端子部１７のうちの対応するもの、もしくは、一対の接地用接触端子部１８のうちの対応するものに対する押圧接触状態から解放すべく、第１の静止位置に移行させることになる状態におかれる。
【００５２】
第２の静止位置をとるアクチュエータ２０が第１の静止位置に移行せしめられる際には、第２の静止位置をとるアクチュエータ２０が、回動操作されて、第２の静止位置から第１の静止位置に移行すべく回動せしめられ、ハウジング１１に対して立ち上がった状態におかれる。それにより、アクチュエータ２０の第２の静止位置から第１の静止位置への移行に伴って、アクチュエータ２０に設けられた複数のカム部３５の夫々が、その極大寸法部以外の部分を対応するコンタクト１６における固定ビーム部とされたビーム部２６に設けられたアクチュエータ係合部２６ａと可動ビーム部とされたビーム部２７に設けられたアクチュエータ係合部２７ａとの両者に係合させる。
【００５３】
コンタクト１６におけるビーム部２６に設けられたアクチュエータ係合部２６ａとビーム部２７に設けられたアクチュエータ係合部２７ａとの両者に係合するカム部３５の極大寸法部以外の部分は、ビーム部２７に、ビーム部２６の端部２６ｂとビーム部２７における接触押圧部２７ｂとが板状部材収容部１３内において形成する相互間間隔を広げる方向に変位しようとする状態をとらせ、それにより、ビーム部２７の接触押圧部２７ｂが、板状部材収容部１３に部分的に収容されたフレキシブル印刷配線基板１５の端子端部における複数の信号用接触端子部１７のうちの対応するもの、もしくは、一対の接地用接触端子部１８のうちの対応するものに押圧接触する状態から解放される。
【００５４】
また、アクチュエータ２０の第２の静止位置から第１の静止位置への移行に伴って、アクチュエータ２０に設けられた一対のカム部３６の夫々が、その極大寸法部以外の部分を対応する係止部材２１における固定ビーム部とされたビーム部２９に設けられたアクチュエータ係合部２９ａと可動ビーム部とされたビーム部３０に設けられたアクチュエータ係合部３０ａとの両者に係合させる。係止部材２１におけるビーム部２９に設けられたアクチュエータ係合部２９ａとビーム部３０に設けられたアクチュエータ係合部３０ａとの両者に係合するカム部３６の極大寸法部以外の部分は、ビーム部３０に、ビーム部２９に設けられた凸部２９ｂとビーム部３０に設けられた係合突起部３０ｂとが板状部材収容部１３内において形成する相互間間隔を広げる方向に変位しようとする状態をとらせ、それにより、ビーム部３０に設けられた係合突起部３０ｂが、ビーム部２９に設けられた凸部２９ｂから離隔して、板状部材収容部１３に部分的に収容されたフレキシブル印刷配線基板１５の端子端部に形成された切欠き係合受部１９に係合した状態から解放される。
【００５５】
それにより、複数のコンタクト１６の夫々が、板状部材収容部１３に部分的に収容されたフレキシブル印刷配線基板１５の端子端部における複数の信号用接触端子部１７のうちの対応するもの、もしくは、一対の接地用接触端子部１８のうちの対応するものに押圧接触する状態から解放されるとともに、一対の係止部材２１の夫々が、板状部材収容部１３に部分的に収容されたフレキシブル印刷配線基板１５の端子端部に形成された切欠き係合受部１９に係合した状態から解放され、フレキシブル印刷配線基板１５がハウジング１１から適正に抜脱され得る状態におかれる。
【００５６】
なお、配線板状部材を成すフレキシブル印刷配線基板１５は、図１及び図２に示されるような、一対の切欠き係合受部１９に代えて、一対の透孔とされた係合受部が端子端部に形成されたものとされてもよい。
【００５７】
上述のように、コネクタ装置１０においては、ハウジング１１に板状部材差込み部１２を通じて差し込まれたフレキシブル印刷配線基板１５が、それにおける切欠き係合受部１９が形成された部分が係止部材２１の凸部２９ｂに乗り上げたもとで、係止部材２１の係合突起部３０ｂが切欠き係合受部１９に係合することにより、係止部材２１により係止されてハウジング１１からの抜脱が阻止される状態におかれる。その際、係合突起部３０ｂとそれに対向する凸部２９ｂとを有した係止部材２１は、ハウジング１１の厚み方向となるコネクタ装置１０の厚み方向の寸法が比較的小とされたもとで、フレキシブル印刷配線基板１５における凸部２９ｂに乗り上げた部分に形成された切欠き係合受部１９に係合突起部３０ｂが係合し、それにより、ハウジング１１に差し込まれた端子端部を有したフレキシブル印刷配線基板１５に対する係止を確実かつ堅固に行うことができるものとなる。従って、コネクタ装置１０によれば、全体の低背化及び小型化が図られたもとにあっても、それに備えられた係止部材２１によって、ハウジング１１に差し込まれたフレキシブル印刷配線基板１５に対する係止を確実かつ堅固に行うことができることになる。
【００５８】
さらに、係止部材２１が、ハウジング１１に固定される固定ビームとされたビーム部２９と、ハウジング１１に対して移動可能とされる可動ビームとされたビーム部３０と、ビーム部２９とビーム部３０とを相互連結する連結部２８とを有し、ビーム部２９に凸部２９ｂとアクチュエータ２０が係合するアクチュエータ係合部２９ａとが形成されているとともに、ビーム部３０に係合突起部３０ｂとアクチュエータ２０が係合するアクチュエータ係合部３０ａとが形成されていて、ビーム部３０が、アクチュエータ２０の回動に応じて変位し、アクチュエータ２０が押圧位置をとるとき、係合突起部３０ｂをフレキシブル印刷配線基板１５における切欠き係合受部１９を通じて凸部２９ｂに近接もしくは当接させる位置をとるものとされるので、フレキシブル印刷配線基板１５における凸部２９ｂに乗り上げる部分に形成された切欠き係合受部１９に対する係合突起部３０ｂの係合が、係止部材２１のコネクタ装置１０の厚み方向の寸法が比較的小とされたもとにおいて極めて堅固に行われる。その結果、コネクタ装置１０の全体の低背化及び小型化が図られたもとにおいても、ハウジング１１に差し込まれたフレキシブル印刷配線基板１５に対する係止部材２１による係止が、より一層確実かつ堅固に行われる。
【産業上の利用可能性】
【００５９】
以上のような本願発明に係るコネクタ装置は、フレキシブル印刷配線基板等とされる配線板状部材の他の配線基板への取付けに用いられる、板状部材差込み部が設けられたハウジングと、ハウジングに配列配置されて設けられた複数のコンタクトと、回動可能に配されて複数のコンタクトの夫々に係合し、複数のコンタクトの夫々に板状部材差込み部を通じてハウジングに差し込まれた配線板状部材における接触端子部に対する押圧接触状態をとらせる押圧位置をとるアクチュエータと、アクチュエータが押圧位置をとるとき、ハウジングに差し込まれた配線板状部材を係止して、配線板状部材のハウジングからの抜脱を阻止する係止部材とを備えたコネクタ装置であって、係止部材が、コネクタ装置全体の低背化及び小型化が図られたもとにあっても、ハウジングに差し込まれた配線板状部材に対する係止を確実かつ堅固に行うことができることになるものとして、様々な電子機器等に広く適用され得るものである。
【符号の説明】
【００６０】
１０・・・コネクタ装置，  １１・・・ハウジング，  １２・・・板状部材差込み部，  １３・・・板状部材収容部，  １５・・・フレキシブル印刷配線基板，  １６・・・コンタクト，  １６ａ，２１ａ・・・接続端子部，  １７・・・信号用接触端子部，  １８・・・接地用接触端子部，  １９・・・切欠き係合受部，  ２０・・・アクチュエータ，  ２１・・・係止部材，  ２５，２８・・・連結部，  ２６，２７，２９，３０・・・ビーム部，  ２６ａ，２７ａ，２９ａ，３０ａ・・・アクチュエータ係合部，  ２７ｂ・・・接触押圧部，  ２９ｂ・・・凸部,   ３０ｂ・・・係合突起部，  ３５，３６・・・カム部
【図１】
2014011099.tif 000003
【図２】
2014011099.tif 000004
【図３】
2014011099.tif 000005
【図４】
2014011099.tif 000006
【図５】
2014011099.tif 000007
【図６】
2014011099.tif 000008
【図７】
2014011099.tif 000009
【図８】
2014011099.tif 000010
【図９】
2014011099.tif 000011
【図１０】
2014011099.tif 000012
【図１１】
2014011099.tif 000013
【図１２】
2014011099.tif 000014
【図１３】
2014011099.tif 000015
【図１４】
2014011099.tif 000016
【図１５】
2014011099.tif 000017
【図１６】
2014011099.tif 000018